(57)【要約】【課題】物体を切断する際に、物体と救助用カッターの刃が接触しても火花が発生することはなく、可燃性気体が充満する雰囲気でも引火等の心配がなく使用できる救助用カッターを提供するものである。【解決手段】カッター本体１１と、カッター本体に設けられ空気圧または油圧によって駆動される油圧シリンダ１３と、カッター本体に設けられ油圧シリンダによって駆動される開閉可能な一対の刃２４と、カッター本体に設けられ油圧シリンダを制御して刃を開閉する操作ノブ１９とからなり、刃を、非着火性工具材料で形成したことを特徴とする。【選択図】図１
0003117523.tif 000002
【実用新案登録請求の範囲】
【請求項１】
カッター本体と、
前記カッター本体に設けられ空気圧または油圧によって駆動されるシリンダと、
前記カッター本体に設けられ前記シリンダによって駆動される開閉可能な一対の刃と、
前記カッター本体に設けられ前記シリンダを制御して前記刃を開閉する操作ノブとからなり、
前記刃を、非着火性工具材料で形成したことを特徴とする救助用カッター。
【請求項２】
取手を備えたハンド式カッター本体と、
前記カッター本体に設けられ空気圧または油圧によって駆動されるシリンダと、
前記カッター本体に設けられ前記シリンダによって駆動される開閉可能な一対の刃と、
前記カッター本体に設けられ前記シリンダを制御して前記刃を開閉する操作ノブとからなり、
前記刃を、非着火性工具材料で形成したことを特徴とする救助用カッター。
【請求項３】
前記刃は、前記カッター本体に対して着脱交換可能であることを特徴とする請求項１または２記載の救助用カッター。
【請求項４】
前記非着火性工具材料は、ベリリウム銅合金であることを特徴とする請求項１または２記載の救助用カッター。
【請求項５】
カッター本体と、
前記カッター本体に設けられ空気圧または油圧によって駆動されるシリンダと、
前記カッター本体に設けられ前記シリンダによって駆動される開閉可能な一対の刃と、
前記カッター本体に設けられ前記シリンダを制御して前記刃を開閉する操作ノブとからなり、
前記刃に向って水を噴出する噴出ノズルを設けたことを特徴とする救助用カッター。
【請求項６】
カッター本体と、
前記カッター本体に設けられ空気圧または油圧によって駆動されるシリンダと、
前記カッター本体に設けられ前記シリンダによって駆動される開閉可能な一対の刃と、
前記カッター本体に設けられ前記シリンダを制御して前記刃を開閉する操作ノブとからなり、
前記刃もしくは刃と接触する金属部に、帯電防止用アース線を接続したことを特徴とする救助用カッター。
【考案の詳細な説明】
【技術分野】
【０００１】
本考案は、災害時に、人命救助活動の邪魔になる物体を切断したり、押し広げることができる救助用カッターに関する。
【背景技術】
【０００２】
地震や台風等の災害時や鉄道・車両の事故等の際に、破壊された建造物や破損された車体の中に人が閉じ込められ、自力では脱出できない場合が生じる。このような状況が発生したとき、救急隊が現場に急行して人命救助活動を安全に、しかも迅速に行うことができるように、救急隊は種々の救助機器を備えている。
【０００３】
例えば、破壊された建造物や破損された車体の中に閉じ込められた人を救助する場合、救助用カッターを用い、救出の邪魔になる物体を切断して救出空間を作ったり、通路を塞ぐ物体を側方に押し広げる作業を行っている。
【０００４】
また、自動二輪車を用いた災害時の作業装置としては、自動二輪車のエンジンを駆動源とするポンプによって駆動される放水機器、噴霧機器、カッターを備えたものが知られている（例えば、特許文献１参照。）。
【特許文献１】特開２００５−２９９号公報
【考案の開示】
【考案が解決しようとする課題】
【０００５】
しかしながら、破壊された建造物や破損された車体の物体は鉄等の金属が殆どであるため、救助用カッターを用いて物体を切断する際に、物体と救助用カッターの刃が接触して火花が発生し、可燃性の気体やガソリン等の液体に引火する虞がある。
また、特にビルやトンネルあるいは船舶等のように密閉された空間で、可燃性ガスが充満している場所では救助用カッターで物体を切断することはできず、人命救助に手間取っているのが実情である。
本考案は、前記事情に着目してなされたもので、その目的とするところは、物体を切断する際に、物体と救助用カッターの刃が接触しても火花が発生することはなく、可燃性気体が充満する雰囲気でも引火等の心配がなく使用できる救助用カッターを提供するものである。
【課題を解決するための手段】
【０００６】
本考案は、前記目的を達成するために、請求項１は、カッター本体と、前記カッター本体に設けられ空気圧または油圧によって駆動されるシリンダと、前記カッター本体に設けられ前記シリンダによって駆動される開閉可能な一対の刃と、前記カッター本体に設けられ前記シリンダを制御して前記刃を開閉する操作ノブとからなり、前記刃を、非着火性工具材料で形成したことを特徴とする救助用カッターにある。
【０００７】
請求項２は、取手を備えたハンド式カッター本体と、前記カッター本体に設けられ空気圧または油圧によって駆動されるシリンダと、前記カッター本体に設けられ前記シリンダによって駆動される開閉可能な一対の刃と、前記カッター本体に設けられ前記シリンダを制御して前記刃を開閉する操作ノブとからなり、前記刃を、非着火性工具材料で形成したことを特徴とする救助用カッターにある。
【０００８】
請求項３は、請求項１または２記載の前記刃は、前記カッター本体に対して着脱交換可能であることを特徴とする。
【０００９】
請求項４は、請求項１または２記載の前記非着火性工具材料は、ベリリウム銅合金であることを特徴とする。
【００１０】
請求項５は、カッター本体と、前記カッター本体に設けられ空気圧または油圧によって駆動されるシリンダと、前記カッター本体に設けられ前記シリンダによって駆動される開閉可能な一対の刃と、前記カッター本体に設けられ前記シリンダを制御して前記刃を開閉する操作ノブとからなり、前記刃に向って水を噴出する噴出ノズルを設けたことを特徴とする救助用カッターにある。
【００１１】
請求項６は、カッター本体と、前記カッター本体に設けられ空気圧または油圧によって駆動されるシリンダと、前記カッター本体に設けられ前記シリンダによって駆動される開閉可能な一対の刃と、前記カッター本体に設けられ前記シリンダを制御して前記刃を開閉する操作ノブとからなり、前記刃もしくは刃と接触する金属部に、帯電防止用アース線を接続したことを特徴とする救助用カッターにある。
【考案の効果】
【００１２】
本考案によれば、救助用カッターの刃を非着火性工具材料、例えばベリリウム銅合金で形成することにより、物体を切断する際に、物体と救助用カッターの刃が接触しても火花が発生することはなく、可燃性気体が充満する雰囲気でも引火等の心配がなく使用できるという効果がある。
また、本考案によれば、刃に向って水を噴出する噴出ノズルを設けるか、帯電防止用アース線を接続することにより、刃から火花の発生を防止する効果があり、刃を通常の鋼材としてコストダウンを図れるが、耐摩耗性を有する非着火性工具材料、例えばベリリウム銅合金によって形成すれば、さらに信頼性が得られる。
【考案を実施するための最良の形態】
【００１３】
以下、本考案の実施の形態を図面に基づいて説明する。
【００１４】
図１及び図２は第１の実施形態を示し、図１はハンド式救助用カッターの斜視図、図２はカッター部の縦断正面図である。カッター本体１１を構成するベース１２には油圧シリンダ１３が垂直に固定されている。油圧シリンダ１３は、シリンダ部１４と、このシリンダ部１４内に上下動可能に収納されたピストン部１５と、このピストン部１５に直結されたピストンロッド１６とから構成されている。
【００１５】
シリンダ部１４内はピストン部１５によって上部室１４ａと下部室１４ｂとに区画され、上部室１４ａと下部室１４ｂは切換制御バルブ１７を介して油圧ホース１８ａ，１８ｂに接続されている。油圧ホース１８ａ，１８ｂは油圧ポンプ、空気ポンプあるいは手動式ポンプ等の駆動源（図示しない）に接続されている。切換制御バルブ１７には操作ノブ１９が設けられ、この操作ノブ１９を把持して回すことにより、シリンダ部１４の上部室１４ａと下部室１４ｂとに供給・排出する油圧を制御し、ピストン部１５を上下できるようになっている。また、油圧シリンダ１３のシリンダ部１４の側壁には取手２０が固定され、一方の手で取手２０を把持し、他方の手で操作ノブ１９を把持することにより、作業者が一人で持って救助用カッターを操作できるようになっている。
油圧シリンダ１３のシリンダ部１４にはカッター本体１１を構成する板状の支柱２１が上方に突出して設けられている。支柱２１の上端部には横方向に貫通する貫通孔２２が穿設されている。この貫通孔２２にはボルトからなる主軸２３が貫通して設けられ、この主軸２３には一対の刃２４が開閉（回動）可能に枢支されている。
【００１６】
一対の刃２４は内側に切り刃２４ａを有する鋏状で、基端部には主軸２３に嵌合する枢支孔２５が設けられ、主軸２３にはナット２６が螺合され、主軸２３に対して一対の刃２４が着脱交換可能に設けられている。さらに、一対の刃２４の基端部における外側部には連結孔２７が設けられている。
【００１７】
一方、前記ピストンロッド１６の先端部には連結ピン２８を介して一対のリンク２９の基端部が回動自在に枢支されている。一対のリンク２９の先端部にはボルト３０が固定され、これらボルト３０は一対の刃２４の連結孔２７に回動自在に挿入され、ナット（図示しない）で連結されている。そして、ピストンロッド１６の上下方向の直線運動がリンク２９を介して一対の刃２４に伝達され、一対の刃２４が主軸２３を支点として回動（開閉）するようになっている。
一対の刃２４は、耐摩耗性を有する非着火性工具材料、例えばベリリウム銅合金によって形成されている。ベリリウム銅合金は、金属製の物体を切断する際に、物体と刃２４が接触しても火花が発生することはなく、可燃性気体が充満する雰囲気で使用しても引火等の心配がない。また、一対の刃２４は支柱２１及びリンク２９とボルト・ナットによって連結されている。従って、刃２４が摩耗したり、破損した場合には交換できるように着脱可能に設けられている。
【００１８】
また、一対の刃２４の基端部を含むリンク２９の外周は合成樹脂またはゴム等の保護カバー３１によって覆われており、この保護カバー３１はシリンダ部１４に固定されている。
【００１９】
このように構成されたハンド式救助用カッターは、操作ノブ１９を把持して回すことによりシリンダ部１４の上部室１４ａまたは下部室１４ｂに油圧を供給することができ、シリンダ部１４の上部室１４ａに油圧が供給されると、ピストン部１５が下降してピストンロッド１６がシリンダ部１４に引き込まれる。従って、ピストンロッド１６と連結されたリンク２９を介して一対の刃２４が主軸２３を支点として矢印ａ方向に回動して刃２４が開く。
また、操作ノブ１９を把持して逆方向に回してシリンダ部１４の下部室１４ｂに油圧を供給されると、ピストン部１５が上昇してピストンロッド１６がシリンダ部１４から突出する。従って、ピストンロッド１６と連結されたリンク２９を介して一対の刃２４が主軸２３を支点として矢印ｂ方向に回動して刃２４が閉じ、一対の刃２４の内側の切り刃２４ａによって物体を切断できる。このとき、物体と刃２４が接触しても、刃２４がベリリウム銅合金によって形成されているため、火花が発生することはなく、可燃性気体が充満する雰囲気でも安心して使用できる。
【００２０】
なお、前記実施形態においては、一対の刃は物体を切断する専用の形状に形成しているが、一対の刃の背面をフラットもしくは鋸歯状とすることにより、物体を側方に押し広げる作業を行うことも可能であり、この場合においても火花が発生することはなく、可燃性気体が充満する雰囲気でも安心して使用できる。
【００２１】
また、刃の開閉に油圧シリンダを使用しているが、空気圧シリンダを使用し、空気ボンベと接続して駆動するようにしてもよい。
図３は第２の実施形態を示し、ハンド式救助用カッターの斜視図であり、第１の実施形態と同一構成部分は同一番号を付して説明を省略する。本実施形態の一対の刃２４のうち、一方の刃２４の側面には切り刃２４ａに向って水を噴出する噴出ノズル３２が取付けられている。刃２４に対して噴出ノズル３２の取付け手段としては、刃２４の側面に例えばタッピングネジ穴を設け、このタッピングネジ穴に固定金具３３をビス３４によって固定すればよく、噴出ノズル３２は加圧水ホース３５を介して水供給源としての加圧ポンプ３６に接続されている。
【００２２】
このように構成することにより、一対の刃２４によって金属製の物体を切断する際に、加圧ポンプ３６から加圧水ホース３５を介して噴出ノズル３２から切り刃２４ａに向って水を噴出することにより、物体と刃２４が接触しても火花が発生することはなく、可燃性気体が充満する雰囲気で使用しても引火等の心配がない。
【００２３】
前記本実施形態においては、一対の刃２４を、耐摩耗性を有する非着火性工具材料、例えばベリリウム銅合金によって形成したが、前述のように、噴出ノズル３２から切り刃２４ａに向って水を噴出することにより、物体と刃２４が接触しても火花が発生する虞はなく、一対の刃２４をベリリウム銅合金で形成することなく、通常の鋼材で形成することもでき、コストダウンを図ることができる。
【００２４】
また、本実施形態の一対の刃２４のうち、一方の刃２４の背部には端子板３７がビス３８によって取付けられている。端子板３７には帯電防止用アース線３９の一端部が接続され、他端部は長く吊り下げた状態にあり、地中に接地できるようになっている。
このように構成することにより、一対の刃２４が帯電防止用アース線３９によって地中に接地されているため、一対の刃２４によって金属製の物体を切断する際に、静電気の帯電によるスパークの発生を防止でき、可燃性気体が充満する雰囲気で使用しても引火等の心配がない。
【００２５】
前記本実施形態においては、一対の刃２４を、耐摩耗性を有する非着火性工具材料、例えばベリリウム銅合金によって形成したが、前述のように、一対の刃２４を帯電防止用アース線３９によって地中に接地しているため、静電気の帯電を防止でき、物体と刃２４が接触しても火花が発生する虞はなく、一対の刃２４をベリリウム銅合金で形成することなく、通常の鋼材で形成することもでき、コストダウンを図ることができる。
【００２６】
なお、前述した第２の実施形態においては、一対の刃２４に噴出ノズル３２と帯電防止用アース線３９の両方を取付けたが、少なくとも一方を設ければ、火花の発生を防止する効果があり、一対の刃２４を耐摩耗性を有する非着火性工具材料、例えばベリリウム銅合金によって形成すれば、さらに信頼性が得られる。
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を組合わせてもよい。
【図面の簡単な説明】
【００２７】
【図１】本考案の第１の実施形態を示し、ハンド式救助用カッターの斜視図。
【図２】同実施形態のカッター部の縦断正面図。
【図３】本考案の第２の実施形態を示し、ハンド式救助用カッターの斜視図。
【符号の説明】
【００２８】
１１…カッター本体、１３…油圧シリンダ、１９…操作ノブ、２４…刃
【図１】
0003117523.tif 000003
【図２】
0003117523.tif 000004
【図３】
0003117523.tif 000005